(57)【要約】【課題】  物干し竿に対する引っ掛けや取り外し動作がガタツキを生じさせることなく円滑且つ正確に行うことができる構造が簡単な物干し用ハンガーのフックを提供する。【解決手段】  ハンガーＡを吊支する支持杆１の前面に可動フック部材３を並設していると共に、ロック用アーム部材２の基端部と中間部とを上記支持杆１と可動フック部材３とにそれぞれ回動自在に枢着してあり、さらに、上記支持杆１と可動フック部材３との対向面に円弧状に湾曲した山部と谷部とを連続形成してなるガイド面４とカム面５とをそれぞれ設けて、可動フック部材３のカム面５を支持杆１のガイド面４に摺接させながら垂直な姿勢を保持した状態で平行移動させてロック用アーム部材２と可動フック部材３とにより物干し竿Ｂを挟着させるように構成している。【選択図】  図６
2018187174.tif 000002
【特許請求の範囲】
【請求項１】
前面に円弧状に湾曲した山部と谷部とを複数個、上下方向に連続形成してなるガイド面を設けた支持杆を上部に備え、下端に物干し用ハンガーを吊支する杆部を備えた支持杆と、この支持杆の上記直杆部における長さ方向の中間部にその基端部を上下回動自在に枢着されたロック用アーム部材と、上記支持杆の直杆部前面に沿って配設されてその長さ方向の中間部を上記ロック用アーム部材の長さ方向の中間部に枢着している垂直杆部とこの垂直杆部の上端から上記ロック用アーム部材の上方に向かって前方に突設しているフック部とを有し、且つ、上記垂直杆部の後面に上記支持杆の直杆部前面に設けているガイド面の山部と谷部とに接合する谷部と山部とを連続形成してなるカム面を設けた可動フック部材とからなり、上記ガイド面に沿って上記カム面の山部を摺接させながら可動フック部材を上下動させるように構成していることを特徴とする物干し用ハンガーのフック。
【請求項２】
可動フック部材の垂直杆部の上部後面に縦長溝を設けている一方、支持杆の上部前面に上記縦長溝に、この縦長溝に対して相対的に上下動可能に挿入している突片を突設していることを特徴とする請求項１に記載の物干し用ハンガーのフック。
【請求項３】
支持杆の上端部に後方に向かって把手体を突設していることを特徴とする請求項１に記載の物干し用ハンガーのフック。
【請求項４】
支持杆における物干し用ハンガーを吊支する下端杆部の下端に、物干し用ハンガーを折り畳んだ際に、この折り畳みハンガーを吊支するフック部材を一体に設けていることを特徴とする請求項１に記載の物干し用ハンガーのフック。
【発明の詳細な説明】
【技術分野】
【０００１】
本発明は、物干し竿等に引っ掛けて洗濯物を乾燥させる物干し用ハンガーのフックの構造に関する。
【背景技術】
【０００２】
物干し用ハンガーには物干し竿に引っ掛けてハンガーを吊支するフックが設けられているが、洗濯物を干すと、洗濯物が風にあおられてフックが物干し竿に沿って移動し、隣接する洗濯物と接触して乾燥が遅くなったり、強風等によってフックが物干し竿から外れて洗濯物が汚たりする虞れがある。
【０００３】
このため、物干し竿に引っ掛けたフックをその位置で固定させることができるロック部材を備えた物干し用ハンガーが開発されている。例えば、特許文献１には、物干し用ハンガーを吊支する支持杆の上端部に半円状に湾曲したガイド部材を一体に設けると共に、この半円状の先端から下方に突出している垂直な直線部と、上記支持杆の上端に連なる垂直な直線部とに縦長孔からなるガイド孔を設け、これらのガイド孔に可動フック部材の先端部と基端部をそれぞれピンによって上下移動可能に枢着し、さらに、支持杆の上端部側に設けている上記ガイド孔の背面側に上面を挟持面に形成しているロック部材の基端部を上下回動自在に枢着すると共に、このロック部材の基部に穿設している横長孔に上記フック部材の基端枢着ピンを挿通してなるフックの構造が記載されている。
【０００４】
このように構成した物干し用ハンガーのフックによれば、物干し竿に引っ掛けると、洗濯物を吊り下げているハンガーの自重によってフックが、その先端部と基端部とに設けているピンをガイド部材の両端垂直部に設けているガイド孔に沿わせながら上動し、このフックの上動によってロック部材がフックの開口部を閉止する方向に上方に回動してその上面を物干し竿の下周面に押当させ、フックと共に物干し竿を挟着して物干し竿に引っ掛けたフックをその位置で物干し竿から離脱不能に固定しておくことができる。
【先行技術文献】
【特許文献】
【０００５】
【特許文献１】特開２００８−１３６７１９号公報
【発明の概要】
【発明が解決しようとする課題】
【０００６】
しかしながら、上記物干し用ハンガーのフックの構造によれば、物干し用ハンガーを吊支する支持杆に対して可動フック部材を上下動可能に構成するには、支持杆の上端部に下向きに開口した半円状のガイド部材を一体に設けてこのガイド部材の先端直線部と支持杆の上端直線部とに可動フック部材の先端部と基端部とをそれぞれガイド孔とピンを介して上下動自在に枢着しなければならず、その上、半円状に湾曲したガイド部材を中央にしてこのガイド部材を挟むようにして上記可動フック部材やロック部材を組み込まなければならないため、構造が複雑となって製品コストが高くなるといった問題点がある。
【０００７】
さらに、半円状のガイド部材の先端部と基端部とに穿設しているガイド孔に可動フック部材の先端部と基端部とをピンによって上下動可能に枢着しているので、ガイド部材を挟むようにして可動フック部材を配設していることと相まって、可動フック部材の動作にガタツキが生じ易くなる。同様に、可動フック部材の上下動に連動して上記ロック部材を上下方向に回動させるには、ロック部材の基部に横長孔を設けてこの横長孔に上記フック部材の基端枢着ピンを挿通させた構造を採用しているため、構造がさらに複雑となり、故障が発生し易くなる虞れがある。
【０００８】
また、可動フック部材を物干し竿に引っ掛ける前においては、半円状のガイド部材が可動フック部材から上方に突出した状態となっているため、物干し竿等に可動フック部材を引っ掛ける際に、その上方に軒下等の障害物があると、引っ掛ける操作がし難くなるといった問題点がある。
【０００９】
本発明はこのような問題点に鑑みてなされたもので、その目的とするところは構造が簡単で安価に提供できるのは勿論、物干し竿等に対する引っ掛けや取り外し動作がガタツキを生じさせることなく円滑且つ正確に行うことができる物干し用ハンガーのフックの構造を提供するにある。
【課題を解決するための手段】
【００１０】
上記目的を達成するために、本発明の物干し用ハンガーのフックは、請求項１に記載したように、前面に円弧状に湾曲した山部と谷部とを複数個、上下方向に連続形成してなるガイド面を設けた支持杆を上部に備え、下端に物干し用ハンガーを吊支する杆部を備えた支持杆と、この支持杆の上記直杆部における長さ方向の中間部にその基端部を上下回動自在に枢着されたロック用アーム部材と、上記支持杆の直杆部前面に沿って配設されてその長さ方向の中間部を上記ロック用アーム部材の長さ方向の中間部に枢着している垂直杆部とこの垂直杆部の上端から上記ロック用アーム部材の上方に向かって前方に突設しているフック部とを有し、且つ、上記垂直杆部の後面に上記支持杆の直杆部前面に設けているガイド面の山部と谷部とに接合する谷部と山部とを連続形成してなるカム面を設けた可動フック部材とからなり、上記ガイド面に沿って上記カム面の山部を摺接させながら可動フック部材を上下動させるように構成していることを特徴とする。
【００１１】
このように構成した物干し用ハンガーのフックにおいて、請求項２に係る発明は、上記可動フック部材の垂直杆部の上部後面に縦長溝を設けている一方、支持杆の上部前面に上記縦長溝に、この縦長溝に対して相対的に上下動可能に挿入している突片を突設していることを特徴とする。
【００１２】
請求項３に係る発明は、上記支持杆の上端部に後方に向かって把手体を突設していることを特徴とする。
【００１３】
請求項４に係る発明は、上記支持杆における物干し用ハンガーを吊支する下端杆部の下端に、物干し用ハンガーを折り畳んだ際に、この折り畳みハンガーを吊支するフック部材を一体に設けていることを特徴とする。
【発明の効果】
【００１４】
請求項１に係る発明によれば、物干し用ハンガーのフックは、物干し用ハンガーを吊支する支持杆と、この支持杆の上部の直杆部に基端部を回動自在に枢着されたロック用アーム部材と、上記支持杆の直杆部前面に沿って上下動自在に配設され、上端部に上記ロック用アーム部材と共に物干し竿を挟持するフック部を有し、且つ、長さ方向の中間部を上記ロック用アーム部材の長さ方向の中間部に枢着している垂直杆部を有する可動フック部材とからなるものであるから、構造が簡単で安価に提供することができるのは勿論、物干し竿の上方に障害物が存在していても、可動フック部材のフック部を物干し竿に簡単且つ確実に引っ掛けて洗濯物を干すことができる。
【００１５】
さらに、可動フック部材のフック部を物干し竿に引っ掛けて手放せば、洗濯物を吊り下げているハンガーの自重によって支持杆が下動する一方、可動フック部材がロック用アーム部材の基端枢着部を支点として支持杆の直杆部の前面に沿って相対的に上動すると共にこの上動に連動してロック用アーム部材が上方に回動し、可動フック部材のフック部とこのロック用アーム部材とによって簡単且つ確実に物干し竿を挟着することができ、フック部が物干し竿から外れたり、物干しの長さ方向に妄動したりすることなく、物干し竿の所定部分に強固に取付けておくことができる。
【００１６】
また，上記支持杆における直杆部の前面に円弧状に湾曲した山部と谷部とを複数個、上下方向に連続形成してなるガイド面を設けている一方、このガイド面に対向させて上記可動フック部材の垂直杆部の後面に上記支持杆の直杆部前面に設けているガイド面の山部と谷部とに順次接合する谷部と山部とを連続形成してなるカム面を設けてこのカム面を上記ガイド面に摺接させながら可動フック部材を上下動させるように構成しているので、支持杆の直杆部に対して可動フック部材を、支持杆の直杆部と可動フック部材の垂直杆部とを連結している上記ロック用アーム部材と、互いに突き合わせ状に接合する上記ガイド面とカム面とによって、あたかも平行リンク機構と同様な作動を行わせてガタツキや妄動を生じさせることなく安定した垂直な姿勢を保持した状態で正確且つ円滑に上下動させることができる。
【００１７】
請求項２に係る発明によれば、上記可動フック部材の垂直杆部の上部後面に縦長溝を設けている一方、支持杆の上部前面に上記縦長溝に、この縦長溝に対して相対的に上下動可能に挿入している突片を突設しているので、可動フック部材やロック用アーム部材を左右方向に妄動させることなく支持杆に対して上下方向に正確に作動させることができる。
【００１８】
請求項３に係る発明によれば、上記支持杆の上端部に後方に向かって把手体を突設しているので、この把手体を把持して上記可動フック部材を備えた物干し用ハンガーを可動フック部材に洗濯物の荷重を作用させることなく持ち運びが容易に行えると共に、物干し竿に対するフックの引っ掛け、取り外し作業も円滑に行うことができる。
【００１９】
さらに、請求項４に係る発明によれば、上記支持杆における物干し用ハンガーを吊支する下端杆部の下端に、物干し用ハンガーを折り畳んだ際に、この折り畳みハンガーを吊支するフック部材を一体に設けているので、不使用時には、物干し用ハンガーを折り畳んで上記フック部材を物干し竿等に引っ掛けておくことにより、邪魔になることなく且つ直ちに次の使用に供することができるように保管しておくことができる。
【図面の簡単な説明】
【００２０】
【図１】物干し用ハンガーの斜視図。
【図２】物干し用ハンガーのフックの側面図。
【図３】その縦断側面図。
【図４】フックの斜視図。
【図５】その分解斜視図。
【図６】物干し竿に引っ掛けた使用状態を示す側面図。
【図７】小径の物干し竿等に引っ掛けた使用状態を示す側面図。
【図８】保管状態を示す簡略斜視図。
【発明を実施するための形態】
【００２１】
次に本発明の具体的な実施の形態を図面について説明すると、図１〜図５において、物干し用ハンガーのフックは、上部に一定長さの直杆部1aを設け、下端に物干し用ハンガーＡを吊支する杆部1bを設けている支持杆１と、この支持杆１における上記直杆部1aの長さ方向の中間部にその基端部を軸11により上下方向に回動自在に枢着されたロック用アーム部材２と、上記支持杆１における直杆部1aの前面にその後面を対向させた状態で配設されていると共に、長さ方向の中間部を、上記支持杆１の直杆部1aから前方に突出している上記ロック用アーム部材２の長さ方向の中間部に軸12により回動自在に枢着された垂直杆部3aを有し、この垂直杆部3a上端に上記ロック用アーム部材２の上方に向かって前方に突設している下向きに湾曲したフック部3bを設けてなる可動フック部材３とを備えている。
【００２２】
上記支持杆１はその直杆部1aの下端に前方に向かって斜め下方に傾斜している傾斜杆部1cを備えてあり、この傾斜杆部1cの下端に物干し用ハンガーＡを吊支する上記杆部1bを一体に設けている。また、上記直杆部1aの前面に凸円弧状に湾曲した山部4aと凹円弧状に湾曲した谷部4bとを上下方向に交互に複数個、連続形成してなるガイド面４を設けている。
【００２３】
具体的には、ガイド面４の中央部の山部4aは、上記ロック用アーム部材２の基端部を枢着している軸11を通る水平線上の前方に配設されていると共にこの山部4aの凸円弧状の湾曲面は上記ロック用アーム部材２の枢着軸11を中心として一定の半径でもって描かれる円弧面上に設けられてあり、この山部4aの上方及び下方に谷部4b、4bを介して次の山部4a、4aと谷部4b、4bとが順次、連続形成されている。
【００２４】
上記ガイド面４を設けている支持杆１の直杆部1aの前面に、後面を対向させた状態で配設している上記可動フック部材３の垂直杆部3aは支持杆１の直杆部1aと略同じ長さを有しており、この垂直杆部3aの後面に、上記支持杆１の直杆部1aの前面に設けているガイド面４を形成した山部4aと同大、同形の凹円弧状に湾曲した谷部5bと、ガイド面４を形成している谷部4bと同大、同形の凸円弧状に湾曲した山部5aとを上下方向に交互に複数個、連続形成してなるカム面５を設けている。
【００２５】
さらに、上記可動フック部材３が最も下方にまで移動した状態においては、この可動フック部材３と上記ロック用アーム部材２とを枢着している軸12はロック用アーム部材２の基端部を枢着している上記軸11よりも下方に位置すると共に、上記支持杆１の直杆部1aの前面に設けているガイド面４の山部4aと谷部4bに、これらの山部4aと谷部4bに対向するように設けられた上記可動フック部材３の垂直杆部3aのカム面５の谷部5bと山部5aが嵌合状態に接合していて、可動フック部材３をそれ以上、下方に移動するのを阻止した状態でガイド面４に受止され、この可動フック部材３の作動に連動するロック用アーム部材２は下方に向かって傾斜していて、このロック用アーム部材２と可動フック部材３のフック部3bとの間の開口部６を物干し竿Ｂの径よりも大きく開口させている。
【００２６】
そして、この状態から可動フック部材３を上動させると、上記軸11と軸12とを結ぶ線上にある可動フック部材３のカム面５における中央部の山部5aが、この山部5aに隣接するガイド面４側の上記山部4aの傾斜面を伝ってこの山部4aを乗り越え、この山部4aの上側の谷部4bに嵌合してそれ以上の上動を阻止されてその位置で停止すると共に上記ロック用アーム部材２を最大限まで上方に傾斜させた状態となるように構成されている。
【００２７】
なお、上記ガイド面４の山部4aとカム面５の谷部5bとの湾曲形状、及び、ガイド面４の谷部4bとカム面５の山部5aとの湾曲形状を必ずしも同一に形成しておく必要となく、要するに、ロック用アーム部材２が上下方向に回動した際に、カム面５の山部5aの頂面がガイド面４の山部4aの傾斜面と頂面に摺接しながら移動させるように構成しておけばよい。
【００２８】
上記可動フック部材３の垂直杆部3aには図３に示すように、前後方向に貫通したアーム挿通孔7aを穿設していると共に上記支持杆１における直杆部1aの長さ方向の中央部には前後方向に貫通したロック用アーム部材２の取付用孔7bが設けられてあり，上記アーム挿通孔7aにロック用アーム部材２を挿通してこのロック用アーム部材２の中央部を直杆部1aに上記軸12により回動自在に枢着していると共に、上記取付用孔7bにロック用アーム部材２の基端部を挿入して、支持杆１の直杆部1aに上記軸11により回動自在に枢着している。
【００２９】
また、上記可動フック部材３の垂直杆部3aの上部後面における幅方向の中央部に、一定幅と長さを有する縦長溝8aを穿設している一方、この縦長溝8aに対面する上記支持杆１の直杆部1aにおける上部に、この縦長溝8aの対向する内壁にその両側面を近接または摺接させた状態にして縦長溝8aに対して相対的に上下動可能に挿入した突片9aを前方に向かって突設している。同様に、上記可動フック部材３の垂直杆部3aの下端部に後方に向かって下部突片9bを突設してこの突片9bを上記支持杆１の直杆部1aの下部前面に設けている縦長孔8b内に相対的に上下動可能に挿入して、可動フック部材３やロック用アーム部材２を左右方向に妄動させることなく支持杆１に対して上下方向に正確に作動させるように構成している。
【００３０】
さらに、上記支持杆１の上端部に後方に向かって把手体10を突設している。なお、この把手体10の上面は可動フック部材３の垂直杆部3aの上端面から後方に向かって緩やかに下方に湾曲した湾曲面に形成されている。
【００３１】
上記支持杆１における物干し用ハンガーＡを吊支した下端杆部1bの下端には、物干し用ハンガーＡを折り畳んだ際に、この物干し用ハンガーＡを折り畳んだ状態で吊支する上向き円弧状に湾曲したフック部材1dを一体に設けている。なお、このフック部材1dは、物干し竿Ｂが高い位置にある場合に、物干し用ハンガーＡを展開した状態で物干し用ハンガーＡの下側からこのフック部1bを把持して物干し用ハンガーＡを持ち上げながら物干し竿Ｂに可動フック部材３のフック部3bを引っ掛けると同時にロック用アーム部材２を作動させて物干し竿Ｂを挟着する際にも使用することができる。
【００３２】
物干し用ハンガーＡは、多数の洗濯バサミ20を吊り下げている矩形状の外枠21と内枠22とを連結片26によって外枠21内に内枠22が同一平面上になるようにして一体に連結していると共に、これらの外枠21と内枠22はその長さ方向の中央部から一半部と他半部とに分割されていて、この分割部を一半部と他半部とが上方に向かって折り畳み可能に枢着23、23されている。なお、外枠21と内枠22とは下方に向かって折り畳まれることなく、使用時には展開した状態を保持するように構成されている。
【００３３】
さらに、内枠22の一半部と他半部との枢着部24、24間を中央枠部25によって連結してあり、この中央枠部25の中央部に上記支持杆１の下端杆部1bの下端から突設している軸体1b1 を回動自在に挿通し、この軸体1b1 の下端部に上記フック部材1dの上端軸部を一体に連結している。従って、フック部材1dを把持して上述したように、可動ブク部材３のフック部3bを物干し竿Ｂに引っ掛ける際に、可動フック部材３を妄りに回動させることなく、簡単に物干し竿Ｂに引っ掛けることができる。
【００３４】
次に、上記のように構成した物干し用ハンガーのフックの使用態様を説明すると、洗濯物を干す際には、物干し用ハンガーＡの外枠21と内枠22とを図１に示すように展開すると共に可動フック部材３の下向きに湾曲したフック部3bを物干し竿Ｂに引っ掛けて、物干し用ハンガーＡを物干し竿Ｂに吊支させる。
【００３５】
可動フック部材３の上記フック部3bを物干し竿Ｂに引っ掛ける前においては、可動フック部材３は自重によって支持杆１の直杆部1aに沿って下方に位置してあり、その垂直杆部3aの後面に形成しているカム面５の谷部5bと山部5aとを支持杆１の直杆部1aの前面に形成している上記ガイド面４の山部4aと谷部4bとに接合させていると共にロック用アーム部材２が下方に傾斜していて、このロック用アーム部材２と上記フック部3bとの間の開口部６が大きく開口させている。
【００３６】
この状態から可動フック部材３のフック部3bを物干し竿Ｂに引っ掛けると、物干し用ハンガーＡの自重によって支持杆１が可動フック部材３に対して下動し、この下動によってロック用アーム部材２の基端部を枢着している軸11が一体的に下方に移動してロック用アーム部材２が可動フック部材３の垂直杆部3aとの枢着軸12を支点として上方に回動し、その上面を物干し竿Ｂの下周面に押接させてそれ以上回動するのを阻止された状態で、このロック用アーム部材２と上記可動フック部材３のフック部3bとによって物干し竿Ｂを上下から挟着し、物干し用ハンガーＡを物干し竿Ｂの所望位置に吊支することができる。
【００３７】
この際、上記のように物干し竿Ｂに引っ掛けた可動フック部材３に対して、物干し用ハンガーＡを吊支している支持杆１が下動すると、この支持杆１の直杆部1aのガイド面４の山部4aの頂面が、この山部4aを嵌合状態に接合させている可動フック部材３側のカム面５における谷部5bの下方に連なる山部5aの上側傾斜面上を摺動すると共にロック用アーム部材２が上方に回動して物干し竿Ｂの下周面に当接する。
【００３８】
そして、物干し竿Ｂの径が比較的大径である場合には、上記支持杆１におけるガイド面４の山部4aが可動フック部材３側のカム面５における上記谷部5bからこの谷部5bの下方に連なる山部5aの上側傾斜面を伝ってこの山部5aの頂面に達する手前にまで摺動した時に、或いは、図６に示すように、この山部5aの頂面に達した時にロック用アーム部材２が物干し竿Ｂの下周面に当接し、物干し竿Ｂの径が比較的小径である場合には、上記ガイド面４の山部4aが可動フック部材３側のカム面５における上記谷部5bからこの谷部5bの下方に連なる山部5aを乗り越えてこの山部5aの下側の傾斜面に達した時に図７に示すようにロック用アーム部材２が物干し竿Ｂの下周面に当接し、可動フック部材３のフック部3bとロック用アーム部材２とによって物干し竿Ｂを挟着することができる。
【００３９】
いずれにしても、ロック用アーム部材２の中央部と基端部とを枢着している軸11、12を結ぶ線の上方と下方とにおいて、ガイド面４の上下の山部4a、4aがカム面５の上下谷部5b、5bに沿ってこれらの谷部5b、5bに隣接するカム面５の山部5a、5a上をそれぞれ摺動し、相対的にカム面５の上下の山部5a、5aがガイド面４の上下谷部4b、4bに沿ってこれらの谷部4b、4bに隣接するガイド面４の山部4a、4a上をそれぞれ摺動する。
【００４０】
従って、可動フック部材３が上記ロック用アーム部材２の中央部と基端部とを枢着している軸11、12を結ぶ線の上方と下方とにおいて、可動フック部材３がその背面のカム面５を支持杆１の直杆部1aにおける前面のガイド面４に支持されながらあたかも平行リンク機構の作用と同様に、支持杆１の直杆部1aに対して上下方向に平行移動しながら可動フック部材３のフック部3bとロック用アーム部材２とによって物干し竿Ｂを挟着したり、物干し竿Ｂからフック部3bによる懸吊を解放することができる。
【００４１】
なお、物干し用ハンガーＡに設けている洗濯バサミ20に洗濯物を吊り下げるのは、物干し用ハンガーＡを物干し竿Ｂに上記可動フック部材３のフック部3bによって懸吊する前であっても、後であってもよい。
【００４２】
また、物干し用ハンガーＡを使用しない場合には、図８に示すように、物干し用ハンガーＡを二つ折り状態に折り畳むと、支持杆１と可動フック部材３とを備えているフックが二つ折りしたハンガーＡの内枠22間の空間部に収納された状態となる一方、ハンガーＡの中央枠部25から上記可動フック部材３の反対方向に突設しているフック部材1dがハンガーＡの折り畳まれた内枠22の枢着部24、24間の空間部に設けられた状態となり、フック部材1dを上側に向けて物干し竿Ｂ等の引っ掛けることによって物干し用ハンガーＡを保管しておくことができる。
【符号の説明】
【００４３】
Ａ  物干し用ハンガー
Ｂ  物干し竿
１  支持杆
1a  直杆部
２  ロック用アーム部材
３  可動フック部材
3a  垂直杆部
４  ガイド面
５  カム面
4a、5a  山部
4b  5b  谷部
8a、8b  縦長孔
9a、9b  突片
10  把手体
【図１】
2018187174.tif 000003
【図２】
2018187174.tif 000004
【図３】
2018187174.tif 000005
【図４】
2018187174.tif 000006
【図５】
2018187174.tif 000007
【図６】
2018187174.tif 000008
【図７】
2018187174.tif 000009
【図８】
2018187174.tif 000010